【事件の表示】
　特願２００６−１８３４４５「情報処理プログラム及び情報処理装置」拒絶査定不服審判事件〔平成１８年１２月２８日出願公開、特開２００６−３５１０２７〕について、次のとおり審決する。
【結　論】
　本件審判の請求は、成り立たない。
【理　由】
１．手続の経緯・本願発明
　本願は、平成１７年６月１５日に出願した特願２００５−１７５７０８号の一部を平成１８年７月３日に新たな特許出願としたものであって、平成１９年６月２０日付けで拒絶査定がなされ、これに対して平成１９年７月２０日に拒絶査定に対する審判が請求されたものである。
　そして、本願の請求項７に係る発明は平成１９年５月１８日付け手続補正書により補正された明細書及び図面の記載からみて、特許請求の範囲の請求項７に記載された事項により特定される次のとおりのもの（以下「本願発明」という。）である。
「【請求項７】
　表示手段、
　ユーザからの座標入力指示を入力するための座標入力手段、
　仮想的な書籍のページを表示する表示制御手段、
　前記座標入力手段からの出力信号に基づいて、前記仮想的な書籍のページが表示される表示領域でスライド操作が行われたか否か、および、前記表示領域で長押し操作が行われたか否かを検出するページ変更操作検出手段、
　前記ページ変更操作検出手段によりスライド操作が検出された場合、スライド操作の方向が第１方向のときには、前記表示領域に表示されているページよりも前方に連続する新たなページに表示されるべき表示内容に変わるように当該表示領域の表示を更新し、スライド操作の方向が前記第１方向と反対方向の第２方向のときには、前記表示領域に表示されているページに後続する新たなページに表示されるべき表示内容に変わるように当該表示領域の表示を更新する、スライド時ページ変更制御手段、および、
　前記ページ変更操作検出手段により長押し操作が検出された場合、
　　スライド操作の検出に連続して当該長押し操作が検出されたときには、当該長押し操作が前記表示領域内の第１サブ領域と第２サブ領域のどちらの領域における長押し操作かに関係なく、当該スライド操作の方向が前記第１方向のときには、前記表示領域に表示されているページよりも前方に連続する新たなページに表示されるべき表示内容に変わるように当該表示領域の表示を更新する処理を反復し、当該スライド操作の方向が前記第２方向のときには、前記表示領域に表示されているページに後続する新たなページに表示されるべき表示内容に変わるように当該表示領域の表示を更新する処理を反復し、
　　スライド操作の検出に連続せずに当該長押し操作が検出されたときには、前記表示領域内の前記第１サブ領域における長押し操作であるときに、前記表示領域に表示されているページよりも前方に連続する新たなページに表示されるべき表示内容に変わるように当該表示領域の表示を更新する処理を反復し、前記表示領域内の前記第２サブ領域における長押し操作であるときには、前記表示領域に表示されているページに後続する新たなページに表示されるべき表示内容に変わるように当該表示領域の表示を更新する処理を反復する、長押し時ページ変更制御手段を備えた情報処理装置。」
　
２．引用刊行物
　これに対して原査定の拒絶の理由に引用された、本願の出願日前に頒布された刊行物「特開２０００−１６３１９３号公報」（以下、「引用刊行物１」という。）には図面とともに以下の記載がある。
（イ）「【０００１】
【発明の属する技術分野】本発明は、携帯情報機器、電子ブック及びこれらに使用される情報記憶媒体に関する。
【０００２】
【背景技術及び発明が解決しようとする課題】近年、文字、画像、音声などの情報を、ＣＤ−ＲＯＭやＦＤなどの電子メディアに記録し、書籍のように利用する出版形態である電子ブック、携帯情報機器、が実用化されている。
【０００３】係る電子ブックや携帯情報機器は紙の本ではいきづまる物理的な限界を解消することができる。また非直線的読書スタイルも可能であり、読者はそれぞれの自由な視点から多角的に読書を楽しむことができる。
【０００４】さらに出版に金や手間がかからないため、だれもが手軽に出版することができたり、購読者が限定されるような専門的なものが出版できたりというような出版の理想像を実現することも可能となる。
【０００５】ところで、係る電子ブックや携帯情報機器は、よりコンパクトであることが好ましいため、操作用のボタン等のハードはできるだけ少なくほうがよい。また特別な操作の習得を必要とせず、ユーザーが日常的な感覚で操作できるものであることが好ましい。
【０００６】そこで、本出願人は、人が本を読むときに最も近い感覚で操作できるインターフェースを有する電子ブックや携帯情報機器を提供すべく、様々な操作を表示部にタッチした指動作で入力できるの電子ブックや携帯情報機器の開発を行っている。
【０００７】ここにおいて、様々な操作入力を表示部に接触させた指動作で行うため、他の入力と区別しながら、人が本を読む時に頁をめくるのと同様の感覚で行える頁めくりの入力をいかに実現するかが問題となる。
【０００８】本発明は、以上のような課題に鑑みてなされたものであり、その目的とするところは、携帯情報機器や電子ブックにおいて、頁めくり等の操作入力を使い勝手のよいヒューマンインターフェースで実現できる電子ブックや携帯情報機器及びこれらに使用する情報記憶媒体を提供することである。」（第３頁）
　
（ロ）「【００５５】図１は、本発明の第一〜第三の特徴的機能を有する形態情報機器や電子ブックの機能ブロック図である。
【００５６】指入力検出部１０は、ユーザーが表示部上に接触した指の接触位置、接触圧力及び接触面積を検出するためのものである。指入力検出部１０は、表示部７０に透明なタッチパネル等を重ねて構成されている。指入力検出部１０で得られた検出データは処理部２０へ入力される。
【００５７】処理部２０は、前記検出データ、所与のプログラム等に基づいてページ画像の更新処理やしおりの挿入、参照処理処理を行うものである。この処理部２０の機能は、ＣＰＵ（ＣＩＳＣ型、ＲＩＳＣ型）、ＤＳＰ、カスタム（ゲートアレーなど）ＩＣ、メモリなどのハードウエアにより実現できる。」（第６頁）
　
（ハ）「【００５９】処理部２０は、指入力判断部３０、画像更新制御部４０、しおり処理部５０、画像生成部６０を含んで構成される。
【００６０】指入力判断部３０は、指入力検出部１０が検出した指の接触位置や接触面積や接触圧力に基づきユーザーが入力した操作内容を判断する。
【００６１】具体的には、表示部上に所定の圧力及び所定の接触面積で接触させた指が横方向に移動しているのが検出された場合に、ページめくり入力が行われたと判断する。また指が所定の接触位置を所定の接触圧力で接触していることが検出された場合に、連続ページめくり入力が行われたと判断する。指入力判断部３０が、ページめくり入力手段及び連続ページめくり判断手段として機能する。」（第６頁）
　
（ニ）「【００６３】画像更新処理部４０は、ページめくり入力や連続ページめくり入力が行われた場合に、表示部上に表示された画像のページの更新やページの連続的な更新を行うための制御処理を行うものである。画像更新処理部４０は、ページ画像更新制御部４２、ページ画像連続更新制御部４４を含む。ページ画像更新制御部４２は、現在表示部に出力されている頁の画像情報をその前後いずれかの頁の画像情報に更新するための制御を行う。ページ画像連続更新制御部４４は、現在表示部に出力されている情報の前後いずれかの方向に連続的に頁を更新し、更新された頁の画像情報を順次表示部に出力するための制御を行う。」（第７頁）
　
（ホ）「【００６５】画像生成部６０は、画像更新制御部４０やしおり処理部５０の制御に基づき、更新されたページや切り替えられたページの画像、しおりが表示されている画像を生成し、表示部に出力する。」（第７頁）
　
（ヘ）「【００７０】（２）指動作による地図画像の操作処理
次に、本実施の形態の電子ブックにおける指動作による地図画像の操作の具体例について説明する。
【００７１】図３は、旅行情報ソフトをセットした場合に表示される画面例を表した図である。画面中央は主に情報表示領域として、画面の端領域は主に検索用タグ領域やツールバー表示領域として使用される。情報表示領域には、本の見開き１ページ分に記載されている内容が画像情報として表示されている。また検索用タグ領域には検索用タグ２１０〜２３０等が表示されている。また、表示領域の左右の端には「本の厚み」を模した画像２４０、２４２が表示されている。」（第７頁）
　
（ト）「【００９０】  ページめくり入力操作
本実施の形態の電子ブックでは、各種操作は画面上の指動作として入力するため、筐体に操作入力用のボタン等がほとんどない。また本の内容が表示された画面においては、画面上に操作入力用マークがほとんどないのが特徴である（図３参照）。
【００９１】本実施の形態では、旅行情報ソフトを電子ブックにセットすることにより、ユーザーは旅行のガイドブックを参照するのと同様の使い勝手で、図３に示すような画面上で実際の本のページと同様の内容を参照することができる。
【００９２】ユーザーが次ページを参照したいと思った場合には、ユーザーが画面上の情報表示領域を紙の本のページめくる時のように人差し指で左から右へなぞると、図１４に示すようにあたかもページがめくれるようなイメージで表示画面が次ページの内容に更新される。
【００９３】このとき、ユーザーは人差し指等をべったり画面に接触させて、ある程度の強さでこするように指を横方向に移動させることが必要である。本実施の形態では、ページめくりの入力を他の入力と区別するために、指が所定の面積以上かつ所定の圧力値以上で画面に接触されて、横方向に移動している場合に、ページめくりが入力されていると判断するからである。
【００９４】なお、ページめくりの方向とページの昇降は、実際の本と同様に縦書きか横書きによって異なる。従って、縦書きの本の場合はページは右から左に進むので、図１４のように指の移動を行うと、次ページがめくれるが、横書きの場合は前ページがめくれる。また逆に、縦書きの本の場合は図１４と逆に人差し指で右から左へなぞると、前ページがめくれるが、横書きの場合は次ページがめくれることになる。
【００９５】このように、ユーザーは通常の本を扱うの同様の感覚でページめくり入力が行えるので、操作の習得が容易で使い勝手のよいヒューマンインターフェースを提供できる。
【００９６】なおページめくり入力時に、図１４に示すように指の動きに応じてページがめくれる途中のイメージ画像を表示してもよいが、直接前ページ画面又は次ページ画面に切り替わる構成でもよい。
【００９７】またページめくりに対応して「パラ」等のページがめくれる音を連想できるようなイメージ音を出力してもよい。
【００９８】  連続ページめくり入力操作
また図１５に示すように、「本の厚み」を模した画像（以下「本の厚み」という）２４０、２４２をユーザーが所定時間以上タッチし続けると、ページがパラパラと連続してめくれる。このとき、ユーザーがタッチする強さを変えると、ページめくりの速度を変更することができる。即ち、ユーザーはより強くタッチすることでページがめくれる速度を早めることができる。またタッチする強さを弱めることで、ページがめくれる速度を遅くすることができる。ユーザーは自分が読みたいページが見つかった時点で、前記「本の厚み」から手を離すことにより、連続ページめくりを止めて、表示画面を当該ページに位置づけることができる。
【００９９】なお、前述したページめくりの場合と同様にページの昇降は縦書きか横書きによって異なる。従って、縦書きの本の場合は、図１５のように左端の本の厚みをタッチし続けると次ページ方向に連続してページがめくれるが、横書きの場合は前ページ方向に連続してページがめくれる。また逆に、縦書きの本の場合は図１５と逆に右端の本の厚みをタッチし続けると前ページ方向に連続してページがめくれるが、横書きの場合は次ページ方向に連続してページがめくれる。
【０１００】このように、ユーザーは通常の本を扱うのと同様の感覚でページめくり入力が行えるので、操作の習得が容易で使い勝手のよいヒューマンインターフェースを提供できる。
【０１０１】なお連続ページめくり入力時に、図１５に示すように指の動きに応じてページがめくれる途中のイメージ画像を表示してもよいが、直接前ページ画面又は次ページ画面に所定時間おきに切り替わる構成でもよい。
【０１０２】またページめくりに対応して「パラパラパラ」等のページがめくれる音を連想できるようなイメージ音を出力してもよい。」（第８〜９頁）
　
（チ）「【０１５８】（７）本実施の形態の動作例
図３３〜図４１は本実施の形態の電子ブックの動作例を表したフローチャート図である。」（第１２頁）
　
（リ）「【０１８６】図３９はページめくり処理（図３４のステップＳ１８０）の詳細な処理内容を説明するためのフローチャート図である。
【０１８７】ユーザーの指の接触位置が画面上の左から右へ移動している場合、表示されている本が縦書きの本の場合には、次ページの画像に更新され、横書きの本の場合には前ページの画像に更新される（ステップＳ５１０、Ｓ５２０、Ｓ５３０、Ｓ５４０）。
【０１８８】ユーザーの指の接触位置が画面上の右から左へ移動している場合、表示されている本が縦書きの本の場合には、前ページの画像に更新され、横書きの本の場合には次ページの画像に更新される（ステップＳ５５０、Ｓ５６０、Ｓ５７０、Ｓ５８０）。
【０１８９】図４０は連続ページめくり処理（図３６のステップＳ２８０）の詳細な処理内容を説明するためのフローチャート図である。
【０１９０】ユーザーの指の接触圧力を検出し、所定の圧力値以上で無ければ、連続ページめくりを中止する（ステップＳ６１０、Ｓ６２０、Ｓ６３０）。
【０１９１】所定の圧力値以上であれば、以下のように連続ページめくりを行う。
【０１９２】即ち、ユーザーの指の接触位置が画面上右端の本の厚みであれば、表示されている本が縦書きの本の場合には、前ページ方向に連続してページめくりを行い、横書きの本の場合には次ページ方向に連続してページめくりを行う（ステップＳ６４０、Ｓ６５０、Ｓ６６０、Ｓ６７０）。
【０１９３】また、ユーザーの指の接触位置が画面上左端の本の厚みであれば、表示されている本が縦書きの本の場合には、次ページ方向に連続してページめくりを行い、横書きの本の場合には前ページ方向に連続してページめくりを行う（ステップＳ６４０、Ｓ６８０、Ｓ６９０、Ｓ７００）。」（第１３〜１４頁）
　
　これら引用刊行物１の記載から、引用刊行物１には以下の発明（以下、「引用発明１」という。）が記載されているものと認められる。
「電子ブックや携帯情報機器であって、
　表示部と、
　表示部に透明なタッチパネルを重ねて構成された指入力検出部と、
　ページの画像等を生成して表示部に出力する画像生成部と、
　表示部上の前記タッチパネルに接触させた指が横方向に移動しているのが検出された場合に、ページめくり入力が行われたと判断し、また指が所定の接触位置に接触していることが検出された場合に、連続ページめくり入力が行われたと判断する、指入力判断部と、
　ページめくり入力が行われた場合に、表示部上に表示された画像のページを前後のいずれかのページに更新するページ画像更新制御部と、
　連続ページめくり入力が行われた場合に、表示部上に表示された画像のページを前後いずれかのページに連続的に更新を行うページ画像連続更新制御部、とを有し、
　表示部の画面上の情報表示領域では、実際の本のページと同様の内容を参照することができ、
　表示された電子ブック（横書きの場合）について、ユーザが上記タッチパネルの、表示部の画面上に表示された情報表示領域を左から右になぞると、表示画面がページがめくれるようなイメージで前ページの内容に更新され、右から左になぞると、表示画面がページがめくれるようなイメージで次ページの内容に更新され、
　左端の本の厚みを模した画像をタッチし続けると前ページ方向に連続してページがめくれ、右端の本の厚みを模した画像をタッチし続けると次ページ方向に連続してページがめくれる、
　電子ブックや携帯情報機器。」
　
　同じく、原査定の拒絶の理由に引用された、本願の出願日前に頒布された刊行物「特開２００３−１４０８０２号公報」（以下、「引用刊行物２」という。）には図面とともに以下の記載がある。
（ヌ）「【特許請求の範囲】
【請求項１】一連のページの形態で文書(223)を記憶するように構成されたメモリ(21,26,224)と、該一連のページの中からページのユーザビュー(102)を提供するように構成された表示装置(101,24)と、少なくとも１つのユーザ入力装置(23,103,210,1508)と、該少なくとも１つのユーザ入力装置に応答して前記一連のページのユーザビュー(102)を変更するためのプロセッサ(25)とからなる文書表示装置(100)であって、前記プロセッサ(25)が、前記少なくとも１つのユーザ入力装置に対する所定の第１の入力により少なくとも１つの参照マーカをページに関連付けることができるように構成され、さらに前記入力装置(23,103,210,1508)に対する第２の所定の入力により前記参照マーカに関連付けられたページを少なくとも部分的に表示できるように構成される、文書表示装置(100)。」（第２頁）
　
（ル）「【００３３】本方法は１以上の入力装置を備えることができ、第１および第２のユーザ入力は同じ入力装置に適用することもできるが、個別の入力装置に適用した方が都合がよい場合もある。」（第５頁）
　
（ヲ）「【００３８】図１は、特に本発明の実施形態の使用に適合された電子閲覧装置１００の物理的外観を示している。この装置は、正面に表示画面１０１を備え、本のページ１０２（この場合、開いた本に似た構成であり、中心の「背」の両側に２ページを一覧できるようになっている）の画像を表示するようになっている。このよう装置は「電子ブック」ビューワとみなすことができる。ユーザは入力装置１０３を利用して電子ブックのページをめくることができ、それらのうちのいくつかは装置の周辺部に設けられる。例えば図１に示す構成では、左側ページ下方にある入力装置は電子ブック内を逆方向へ進むために用いることができ、右側ページ下方にある入力装置は電子ブックを前方向へ進むために用いることができる。これらの入力装置１０３は、後で説明する付加的な機能を有する。」（第５頁）
　
（ワ）「【００５４】次に、図５を参照して、ユーザ入力を取得しそれをアニメーションプロセスへ提供するプロセスを説明する。このプロセスの特定のバージョンにおいて、ユーザ入力装置はデジタイザタッチパッドであり、１座標次元（最も論理的にはｘ軸）しか考慮しない。このため、ユーザはタッチパッド上で自分の指を右から左へ移動させる（物理的なページ上でめくる際に採用される動きを模倣する）ことにより前方向のページめくりを行うことができ、タッチパッド上で指を左から右へ移動させることにより逆方向のページめくりを行うことができる。他の形態の入力装置も同様に用いることができ、当業者であれば、図５を参照して説明するプロセスを変更して同等の作用を達成するための方法が分かるであろう。」（第８頁）
　
（カ）「【００６９】実施例２
これは図８に示す。ユーザはタッチパッドのＡに接触し、Ｂまで移動させて放す。このタッチパッドを「擦る」または「撫でる」動きは、ユーザが物理的な本のページをめくる際に行う可能性のある動きに似ている。この場合、距離ＡＢがＡＴＶよりも長いのでページめくりモードに入り、ここで１ページがめくられる。
【００７０】（ｂ）部から分かるように、距離ＡＢがページめくり閾値距離ＡＴＶよりも長いため、入力値は比例的に上昇して、ＡＴＶを超え、ユーザが点Ｂで放した時に０まで降下する。（ｃ）部から分かるように、示されているフレームは、距離ＡＴＶおよび時刻ｔ１でフレームＡＴに達するまでＶに対して比例する。この点から、少なくとも１ページが必然的にめくられることになり、「前方めくり」状態６０４に入る。このためフレームは、ｔ２においてユーザ入力が０へ戻るまで、Ｖの値によって決まる速度が継続される。この時点では、まだフレームＯＰＴに達しておらず（ページをめくり終わっていない）、「前進終了」状態６０６に入る。ページは完全にめくられるまで同じ速度でめくられ続け、完全にめくられた時点、ｔ３においてページめくりが停止し、「ゼロ回帰」状態６０７に入った後、「ゼロ」状態６０１へ戻る（ユーザ入力が無いのでＶ＝０）。（ｄ）部が示すように、ｔ３においてページが完全にめくられる。」（第１０頁）
　
（ヨ）「【００７１】実施例３
図９は、読み手が物理的な本を「くまなく探す」ように、複数のページをめくる実施例を示す。
【００７２】ユーザは点Ａでタッチパッドに触り、指をＢまで移動させ（距離ＡＢはＡＴＶよりも長い）、Ｂで指をある期間保持した後に放す（（ａ）部および（ｂ）参照）。指はｔ１でタッチパッドに接触し、ｔ３まで移動し、その後ｔ８までＢに維持される。
【００７３】（ｃ）部は、結果として得られる表示用フレームを示している。実施例２と同様に、表示されるフレームはｔ１においてフレームＡＴに達するまでＶに比例する。この時点の後、ページめくりの速度は（Ｖ−ＡＴＶ）に比例する。最初のページがめくられても（ｔ２において）、入力状態はまだ「前方めくり」状態にあり、ページめくりが継続される。ページめくりの速度はＶによって決まる。すなわち、時刻ｔ３において指がＢで停止するまでＶが増加し続けるため、ページめくりの速度もｔ３まで増加し、その後は一定を保つため、ｔ４における次のページめくりの後の連続したページめくり間の間隔（すなわちｔ４〜ｔ５、ｔ５〜ｔ６およびｔ６〜ｔ７）もｔ８において指が離されＶが０へ戻るまで一定である。その後アニメーションプロセスは「前進終了」状態に入り、フレームＯＰＴに達し現在のページを完全にめくり終えるまで（ｔ９において）、所定の速度で（この場合比較的低速で）現在のページめくりを完了させ、ｔ９の時点でアニメーションプロセスはゼロへ戻る。（ｄ）部から分かるように、６つのページがめくられる。すなわち、最初のページはｔ２でめくられ、第２のページはｔ４でめくられ、次の３つのページは一定速度でそれぞれｔ５、ｔ６およびｔ７でめくられ、最後のページは（比較的低速で）ｔ９でめくられる。
【００７４】当業者であれば、上記の好ましい実施形態の多くの態様は、特許請求の範囲に記載した本発明から逸脱することなく変更できることが分かるであろう。特に本発明の実施形態は、適当なプログラムおよび適当なユーザ入力源を用いて、従来の計算装置（パーソナルコンピュータ等）上で実施することができる。デジタイジングタッチパッドが特に適当なユーザ入力源ではあるが、本発明のさらなる実施形態は、適当なユーザ移動をデジタル信号へ変換するような他のユーザ入力源、特に移動を連続変数へ変換することができるような他のユーザ入力源を採用することもできる。」（第１０頁）
　
（タ）「【００７９】次に説明するように、図１および図１２の実施形態は、図１３に関して説明したような紙ベースの文書の読み手によって受入れられる機能を、電子装置のユーザに提供する。
【００８０】図１は、本発明による文書閲覧装置の簡単な実施形態を示している。上述したように、それは２つの入力装置１０３、すなわち文書閲覧装置の左側ページに関連する第１の入力装置と右側ページに関連する第２の入力装置とを備えている。以下の説明から分かるように、ユーザは、右側ページの入力装置１０３をｄからｃへ撫でることにより、右側ページが左側ページの一番上にくるようにめくることができる（領域１０５で行っているプロセスに示すように）。この移動により、ある期間について、時間に関してある範囲の変化持つ座標の集合が生成される。この座標の変化する期間が終了した後、ユーザは入力装置に対して圧力を維持し、それによって座標が時間の変化率を持たないような入力を与えることもできる。
【００８１】同様に、ユーザは、左側ページの入力装置１０３をａからｂに撫でることにより、左側ページを右側ページの一番上にくるようにめくることができる。入力装置１０３の機能は上述したものと同じであり、そのため、ユーザが閾値ＡＴＶを超えて指をその場に維持した場合、ページは連続的にめくられる（または「くまなく探される」）。」（第１１頁）
　
　これら引用刊行物２の記載から、引用刊行物２には以下の発明（以下、「引用発明２」という。）が記載されているものと認められる。
「タッチパッド上で指を右方向に一定距離以上動かすとページめくりがなされ、その後指を接触させたまま停止させると停止されている間ページめくりが継続してなされ、また、タッチパッド上で指を左方向に一定距離以上動かすとページめくりがなされ、その後指を接触させたまま停止させると停止されている間ページめくりが継続してなされる文書閲覧装置（電子ブックビューワ）。」
　
３．対比
　本願発明と引用発明１を対比すると、
引用発明１の「電子ブックや携帯情報機器」、「表示部」、「画像生成部」、及び「情報表示領域」は、それぞれ、本願発明の「情報処理装置」、「表示手段」、「表示制御手段」、及び「表示領域」に相当する。
　また、引用発明１の表示部に透明なタッチパネルを重ねて構成された「指入力検出部」は本願発明の「座標入力手段」に相当する。
　また、引用発明１の表示装置（表示部）は、電子ブック等の内容を本のページと同様に参照することができ、左右には本の厚みを模した画像を表示しているから、引用発明１の表示制御手段（画像生成部）は本願発明と同様に、仮想的な書籍のページを表示しているということができる。
　また、引用発明１の「指が横方向に移動」することは、本願発明の「スライド操作」に相当し、指で「タッチし続ける」ことは、本願発明の「長押し操作」に相当する。
　また、引用発明１のページめくり入力が行われた場合にページを前後のいずれかのページ（前ページ、次ページ）に更新する「ページ画像更新制御部」は、本願発明の「スライド時ページ変更制御手段」に相当し、引用発明１の連続ページめくり入力が行われた場合に、ページを前後いずれかのページに連続的に更新を行う「ページ画像連続更新制御部」は、本願発明の表示を更新する処理を反復する「長押し時ページ変更制御手段」に相当する。
　また、引用発明１の「左から右」及び「右から左」は、それぞれ本願発明の「第１方向」及び「第２方向」に相当し、引用発明１の「前ページ」及び「次ページ」は、それぞれ本願発明の「前方に連続する新たなページ」及び「ページに後続する新たなページ」に相当する。
　また、引用発明１の「左端の本の厚みを模した画像」及び「右端の本の厚みを模した画像」は、それぞれ本願発明の「第１のサブ領域」及び「第２のサブ領域」に相当する。
　
したがって、両者は
「表示手段、
　ユーザからの座標入力指示を入力するための座標入力手段、
　仮想的な書籍のページを表示する表示制御手段、
　前記座標入力手段からの出力信号に基づいて、前記仮想的な書籍のページが表示される表示領域でスライド操作が行われたか否か、および、前記表示領域で長押し操作が行われたか否かを検出するページ変更操作検出手段、
　前記ページ変更操作検出手段によりスライド操作が検出された場合、スライド操作の方向が第１方向のときには、前記表示領域に表示されているページよりも前方に連続する新たなページに表示されるべき表示内容に変わるように当該表示領域の表示を更新し、スライド操作の方向が前記第１方向と反対方向の第２方向のときには、前記表示領域に表示されているページに後続する新たなページに表示されるべき表示内容に変わるように当該表示領域の表示を更新する、スライド時ページ変更制御手段、および、
　前記ページ変更操作検出手段により長押し操作が検出された場合、
　　前記表示領域内の前記第１サブ領域における長押し操作であるときに、前記表示領域に表示されているページよりも前方に連続する新たなページに表示されるべき表示内容に変わるように当該表示領域の表示を更新する処理を反復し、前記表示領域内の前記第２サブ領域における長押し操作であるときには、前記表示領域に表示されているページに後続する新たなページに表示されるべき表示内容に変わるように当該表示領域の表示を更新する処理を反復する、長押し時ページ変更制御手段を備えた情報処理装置。」の点で一致し、以下の点で相違する。
　
相違点１
　本願発明の長押し時ページ変更制御手段は、スライド操作の検出に連続して当該長押し操作が検出されたときには、当該長押し操作が前記表示領域内の第１サブ領域と第２サブ領域のどちらの領域における長押し操作かに関係なく、当該スライド操作の方向が前記第１方向のときには、前記表示領域に表示されているページよりも前方に連続する新たなページに表示されるべき表示内容に変わるように当該表示領域の表示を更新する処理を反復し、当該スライド操作の方向が前記第２方向のときには、前記表示領域に表示されているページに後続する新たなページに表示されるべき表示内容に変わるように当該表示領域の表示を更新する処理を反復しているのに対し、引用発明１の長押し時ページ変更制御手段はスライド操作の検出に連続して当該長押し操作が検出された場合について記載されていない点。
　
相違点２
　本願発明の長押し時ページ変更制御手段は、スライド操作の検出に連続せずに当該長押し操作が検出されたときに、第１サブ領域、第２サブ領域での長押しに応じて、所定のページ更新処理を反復しているのに対し、引用発明１の長押し時ページ変更制御手段も本願発明と同様に第１サブ領域、第２サブ領域での長押しに応じて、本願発明と同様に所定のページ更新処理を反復して行っているが、本願発明のようにスライド操作の検出に連続せずに当該長押し操作が検出されたときに所定のページ更新処理を反復して行っていることについて記載がない点。
　
４．当審の判断
　以下、上記相違点について検討する。
相違点１について
　引用発明２には、引用発明１と同様の文書閲覧装置（電子ブックビューワ）において、指によるスライド操作のあとに指の接触が継続する間（本願発明の「長押し」に相当する。）スライド方向に応じたページめくりを継続（ページめくりを反復）することが記載されており、引用発明１のスライド操作に適用して、相違点１に係る構成、即ち、スライド操作の検出に連続して当該長押し操作が検出されたときには、当該長押し操作が前記表示領域内の第１サブ領域と第２サブ領域のどちらの領域における長押し操作かに関係なく、当該スライド操作の方向が前記第１方向のときには、前記表示領域に表示されているページよりも前方に連続する新たなページに表示されるべき表示内容に変わるように当該表示領域の表示を更新する処理を反復し、当該スライド操作の方向が前記第２方向のときには、前記表示領域に表示されているページに後続する新たなページに表示されるべき表示内容に変わるように当該表示領域の表示を更新する処理を反復する構成を採用することは当業者が容易に想到し得ることである。
　
相違点２について
　引用発明１の長押し操作に基づく処理は、スライド操作とは独立した操作としてなされるものであるところ、上記「相違点１について」の項で説明したように、引用発明１において引用発明２のスライド操作の検出に連続した長押し操作を検出することによりスライド操作の方向に応じた新たなページを表示する処理（ページめくりの処理）を反復する構成を採用した場合に、引用発明１の長押し操作により新たなページを表示する処理について、スライド操作と独立して、スライド操作の検出に連続せずに当該長押し操作が検出されたときに行うようにして、相違点２に係る構成とすることは当業者が容易に想到し得ることである。　
　
　そして、本願発明のように構成したことによる効果も引用発明１、引用発明２から予想できる程度のものであって、格別のものではない。
　
　なお、審判請求人は請求の理由（平成１９年８月７日付け手続補正書（方式）、（３）本願発明が特許される理由、ａ．ｂ．）において、本願発明（請求項１）について「スライド操作に連続しない長押し操作と、スライド操作に連続する長押し操作（すなわちスライド操作の後、タッチパネルから指等を離すことなくそのまま長押し操作した場合）とで、ページめくり方向の決定方法を変化させることを特徴としています。」と主張しているが、引用発明１においても（スライド操作と長押し操作の組み合わせについて記載はないものの）スライド方向に応じてページめくり方向を決定する方法と、長押しの領域に応じてページめくり方向を決定する方法とでその処理態様が区別されていること、また一般に、情報処理装置のユーザインターフェースにおいて、ユーザの複数の操作を適宜組み合わせ、それらを区別して情報処理装置に所定の動作を行わせることが周知であるから、審判請求人の主張する上記特徴は格別のものということはできない。
　
５．むすび
　以上のとおり、本願発明（請求項７に係る発明）は、引用発明１、引用発明２に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。